(57)【要約】【課題】光信号を介して被制御装置を制御するシステムにおいて、被制御装置が誤って再起動されることを防止しつつ、被制御装置の再起動制御を可能とする。【解決手段】  光モジュール１は、ＰＤ／ＴＩＡ２により検出された光信号の出力レベルを検出し、該出力レベルが所定の閾値未満のときに光断状態を示す、光断検出信号を出力するＤＣ  ＬＯＳ検出部３と、光信号の変調の状態を検出し、該変調における振幅が所定の閾値未満のときに無変調状態を示す、無変調検出信号を出力するＡＣ  ＬＯＳ検出部４と、光断検出信号が光断状態を示さないときにおいて、無変調検出信号の無変調状態が予め設定された所定のパターンで出現したときに、被制御装置を再起動させるための再起動信号を出力する再起動信号生成部５とを備える。光断状態でないことを再起動信号の出力の条件としているので、再起動信号の誤出力が防止される。【選択図】図４
2013009186.tif 000002
【特許請求の範囲】
【請求項１】
受光素子を含む光モジュールであって、
前記受光素子により検出された光信号における出力レベルを検出し、該出力レベルが所定の閾値未満のときに光断状態を示す、光断検出信号を出力する光断検出部と、
前記受光素子により検出された光信号における変調の状態を検出し、該変調における振幅が所定の閾値未満のときに無変調状態を示す、無変調検出信号を出力する無変調検出部と、
前記光断検出部から出力された前記光断検出信号が前記光断状態を示さないときにおいて、前記無変調検出部から出力された前記無変調検出信号における無変調状態が予め設定された所定のパターンで出現したときに、被制御装置を再起動させるための再起動信号を出力する再起動信号生成部と、
を備える光モジュール。
【請求項２】
前記再起動信号生成部における前記所定のパターンはプログラマブルである、
請求項１に記載の光モジュール。
【請求項３】
前記再起動信号生成部は、前記無変調検出信号における無変調状態を検出するための複数のパターンを有しており、前記複数のパターンから選択された一のパターンを前記所定のパターンとして設定する、
請求項１又は２に記載の光モジュール。
【請求項４】
被制御装置の再起動を制御する再起動信号生成装置であって、
光モジュールの受光素子により検出された光信号における出力レベルが所定の閾値未満のときに光断状態を示す、光断検出信号を取得し、
前記受光素子により検出された光信号における変調の振幅が所定の閾値未満のときに無変調状態を示す、無変調検出信号を取得し、
前記光断検出信号が前記光断状態を示さないときにおいて、前記無変調検出信号における無変調状態が予め設定された所定のパターンで出現したときに、前記被制御装置を再起動させるための再起動信号を出力する再起動信号生成部を備える、再起動信号生成装置。
【発明の詳細な説明】
【技術分野】
【０００１】
本発明は、光モジュール及び再起動信号生成装置に関する。
【背景技術】
【０００２】
下記特許文献１には、制御装置と被制御装置とが光ファイバで接続されたシステムが開示されている。このシステムでは、制御装置の遠方に設置された被制御装置が正常に起動できない場合に、制御装置から光ファイバを介して、光断続信号を送信することにより被制御装置が制御される。
【０００３】
また、図１は、従来における、無線装置及び無線制御装置が光ファイバで接続されたシステム１００を簡略的に示すブロック図である。この無線制御装置３０は、光モジュール３１及び監視制御部３２を含む。また、無線装置４０は、光モジュール４１、無線制御回路４２及び再起動制御部４３を含む。
【０００４】
無線制御装置３０の光モジュール３１は、監視制御部３２の制御の下、光信号を無線装置４０に送信することにより、無線装置４０を制御する。無線装置４０の光モジュールは、無線制御装置３０からの光信号を受信して、受信した光信号に基づく所定の信号を無線制御回路４２に送出する。無線制御回路４２は、光モジュールからの信号に基づき無線機能を制御される。
【０００５】
この無線制御回路４２が何らかの原因により正常に動作していなかったり、起動に失敗したりした場合には、無線制御装置３０からの遠隔制御により無線制御回路４２を再起動させる必要がある。無線制御装置３０は、光信号の出力をＯＦＦ（光断状態）にする光断制御機能を用いて、所定のパターンで断続的に光断状態にされる光信号を無線装置４０に送出することにより、無線装置４０の再起動制御を行なう。図２は、無線制御装置３０から無線装置４０に送出される光信号の例を示す図である。図２に示す光信号の例では、１秒間の光断状態が１秒の間隔を空けて２回送出されている。
【０００６】
光モジュール４１は、光信号の光断状態を検出する光断（ＤＣ  ＬＯＳ：ＤＣ  Ｌｏｓｓ  Ｏｆ  Ｓｉｇｎａｌ）検出機能を有しており、ＤＣ  ＬＯＳが検出されたことを示すＤＣ  ＬＯＳ信号を再起動制御部４３に出力する。再起動制御部４３は、所定のパターンのＤＣ  ＬＯＳ信号を受信すると、再起動信号を出力して、無線制御回路４２を再起動させる。
【０００７】
以上説明したように、従来のシステム１００では、無線装置４０は、光信号に所定の光断状態が現れたときに再起動制御される。一方、装置間の光回線の不良、並びに光ファイバの曲げ伸ばし及び光モジュールにおけるコネクタの着脱といった光回線に対する物理的な操作により、光信号に光断状態が発生する場合がある。この光断状態が、再起動制御部４３における再起動信号出力のための所定のパターンに合致すると、再起動制御部４３による再起動信号が発生することとなり、無線制御回路４２が誤って再起動されることとなる。図３を参照して、この現象について説明する。図３は、光信号の意図しない変動時及び無線制御装置３０からの再起動制御時の光信号、光モジュール４１からのＤＣ  ＬＯＳ信号及び再起動信号の変化を示す図である。図３に示すように、光信号の意図しない変動時ＴＥにおいて、光断状態ＳＥ０が出現すると、ＤＣ  ＬＯＳ信号が、符号ＡＥ０に示すようにアサートされる。ＤＣ  ＬＯＳ信号が所定のパターンでアサートされると、再起動制御部４３は、符号ＲＥ０に示すように、再起動信号を無線制御回路４２に出力する。一方、無線制御装置３０からの再起動制御時ＴＲにおいて、光断状態ＳＲ０が出現すると、ＤＣ  ＬＯＳ信号が、符号ＡＲ０に示すようにアサートされる。ＤＣ  ＬＯＳ信号が所定のパターンでアサートされると、再起動制御部４３は、符号ＲＲ０に示すように、再起動信号を無線制御回路４２に出力する。このように、光信号の意図しない変動時及び無線制御装置３０からの再起動制御時のいずれの場合であっても、再起動制御部４３は、同様に再起動信号を出力する。
【先行技術文献】
【特許文献】
【０００８】
【特許文献１】特開２０１０−２７８７７４号公報
【発明の概要】
【発明が解決しようとする課題】
【０００９】
上記のように、光断状態の検出といった光信号の出力の有無により被制御装置の再起動が制御されることとすると、誤動作により再起動信号が出力され、被制御装置が誤って再起動されてしまうといった問題があった。そこで、本発明は、光信号を介して被制御装置を制御するシステムにおいて、被制御装置が誤って再起動されることを防止しつつ、被制御装置の再起動制御が可能な光モジュール及び再起動信号生成装置を提供することを目的とする。
【課題を解決するための手段】
【００１０】
本発明の一側面は、光モジュールである。この光モジュールは、受光素子を含む光モジュールであって、受光素子により検出された光信号における出力レベルを検出し、該出力レベルが所定の閾値未満のときに光断状態を示す、光断検出信号を出力する光断検出部と、受光素子により検出された光信号における変調の状態を検出し、該変調における振幅が所定の閾値未満のときに無変調状態を示す、無変調検出信号を出力する無変調検出部と、光断検出部から出力された光断検出信号が光断状態を示さないときにおいて、無変調検出部から出力された無変調検出信号における無変調状態が予め設定された所定のパターンで出現したときに、被制御装置を再起動させるための再起動信号を出力する再起動信号生成部と、を備える。
【００１１】
本発明の別の側面は、再起動信号生成装置である。この再起動信号生成装置は、被制御装置の再起動を制御する再起動信号生成装置であって、光モジュールの受光素子により検出された光信号における出力レベルが所定の閾値未満のときに光断状態を示す、光断検出信号を取得し、受光素子により検出された光信号における変調の振幅が所定の閾値未満のときに無変調状態を示す、無変調検出信号を取得し、光断検出信号が光断状態を示さないときにおいて、無変調検出信号における無変調状態が予め設定された所定のパターンで出現したときに、被制御装置を再起動させるための再起動信号を出力する再起動信号生成部を備える。
【００１２】
この光モジュール及び再起動信号生成装置によれば光断状態でないことを再起動信号の出力の条件としているので、光回線の不良や、光回線に対する物理的な操作等により誤って再起動信号が出力されることが防止される。また、無変調状態が予め設定されたパターンで出現したことを再起動信号の出力の条件としているので、偶然発生した変調の状態の変化により誤って再起動信号が出力されることが防止される。従って、被制御装置の再起動を適切に制御できる。
【００１３】
また、光モジュールでは、再起動信号生成部における所定のパターンはプログラマブルであってもよい。
【００１４】
この場合には、再起動信号の出力させるための光信号における無変調状態のパターンを任意に設定できるので、例えば、被制御装置に固有の無変調状態のパターンを設定することにより、誤って被制御装置が再起動されることが防止されると共に、被制御装置における適切な再起動制御を実現できる。
【００１５】
また、光モジュールでは、再起動信号生成部は、無変調検出信号における無変調状態を検出するための複数のパターンを有しており、複数のパターンから選択された一のパターンを所定のパターンとして設定することとしてもよい。
【００１６】
この場合には、例えば、一の制御装置からの光信号が、本発明の光モジュールを備えた複数の被制御装置に供給されるようなシステムにおいて、被制御装置ごとに異なるパターンを設定することにより、被制御装置ごとに再起動の制御を行なうことができる。
【発明の効果】
【００１７】
本発明によれば、光信号を介して被制御装置を制御するシステムにおいて、被制御装置が誤って再起動されることを防止しつつ、被制御装置の再起動制御が可能となる。
【図面の簡単な説明】
【００１８】
【図１】従来の無線装置及び無線制御装置が光ファイバで接続されたシステムを簡略的に示すブロック図である。
【図２】従来における、無線制御装置から無線装置に送出される光信号の例を示す図である。
【図３】従来における、光信号の意図しない変動時及び無線制御装置からの再起動制御時の光信号、光モジュールからのＤＣ  ＬＯＳ信号及び再起動信号の変化を示す図である。
【図４】光モジュールの構成を示すブロック図である。
【図５】光信号の状態に応じた光断検出信号及び無変調検出信号の出力条件を説明するための図である。
【図６】再起動信号生成部の構成の例を示す図である。
【図７】ＰＤ／ＴＩＡにより受信された光信号に応じた、ＡＣ  ＬＯＳ検出部からの無変調検出信号、ＤＣ  ＬＯＳ検出部からの光断検出信号、信号ＳＯＰ、及び再起動信号の出力を示す図である。
【発明を実施するための形態】
【００１９】
本発明の知見は、例示として示された添付図面を参照して以下の詳細な記述を考慮することによって容易に理解できる。引き続いて、添付図面を参照しながら、本発明の光モジュール及び再起動信号生成装置の実施の形態を説明する。可能な場合には、同一の部分には同一の符号を付する。
【００２０】
図４は、本実施の形態に係る光モジュールの構成を示すブロック図である。光モジュール１は、ＰＤ／ＴＩＡ２、ＤＣ  ＬＯＳ検出部３（光断検出部）、ＡＣ  ＬＯＳ検出部４、再起動信号生成部５、ＬＤ／ＬＤＤ６及び監視制御部７を含む。
【００２１】
光モジュール１は、光ファイバを介して他の装置と光信号の送受信をするための装置であって、監視制御部７の制御の下で、ＬＤ／ＬＤＤ６により光信号の送信、及びＰＤ／ＴＩＡ２により光信号の受信をする。なお、本実施形態の光モジュールでは、ＬＤ／ＬＤＤ６及びＰＤ／ＴＩＡ２の両方を備えているが、光信号の送信を行なうＬＤ／ＬＤＤ６は、必須の構成ではない。
【００２２】
ＰＤ／ＴＩＡ２は、光信号を受信するためのフォトダイオード（ＰＤ：Ｐｈｏｔｏ  Ｄｉｏｄｅ）及びトランスインピーダンスアンプ（ＴＩＡ：Ｔｒａｎｓ  Ｉｍｐｅｄａｎｃｅ  Ａｍｐｌｉｆｉｅｒ）を含む。フォトダイオードは、光信号を検出し、検出した光信号に応じた電気信号を発生する素子であって、受光素子を構成する。トランスインピーダンスアンプは、フォトダイオードにより発生された電気信号を実用的なレベルに変換する素子である。ＰＤ／ＴＩＡ２は、光信号に基づく電気信号をＤＣ  ＬＯＳ検出部３及びＡＣ  ＬＯＳ検出部４に送出する。また、ＰＤ／ＴＩＡ２は、光信号に基づく電気信号を、当該光モジュール１に接続された他の装置（図示せず）に受信データとして出力する。
【００２３】
ＤＣ  ＬＯＳ検出部３は、ＰＤ／ＴＩＡ２により検出された光信号における出力レベルを検出し、該出力レベルが所定の閾値未満のときに光断状態を示す、光断検出信号を出力する部分である。ＤＣ  ＬＯＳ検出部３は、例えば、光断状態のときにアサートされる電圧信号を、光断検出信号として出力する。
【００２４】
ＡＣ  ＬＯＳ検出部４は、ＰＤ／ＴＩＡ２により検出された光信号における変調の状態を検出し、該変調における振幅が所定の閾値未満のときに無変調状態を示す、無変調検出信号を出力する部分である。ＡＣ  ＬＯＳ検出部４は、例えば、無変調状態のときにアサートされる電圧信号を、無変調検出信号として出力する。
【００２５】
図５は、光信号の状態に応じた光断検出信号及び無変調検出信号の出力条件を説明するための図である。図５に示した光信号の出力レベルは、区間ＴＤ１において、所定の閾値以上を示している。一方、区間ＴＤ２において、所定の閾値未満を示している。従って、ＤＣ  ＬＯＳ検出部３は、光断検出信号を区間ＴＤ１においてデアサートし、区間ＴＤ２においてアサートする。
【００２６】
また、図５に示した光信号の変調の振幅は、区間ＴＡ１において、所定の閾値以上を示している。一方、区間ＴＡ２において、所定の閾値未満を示している。従って、ＡＣ  ＬＯＳ検出部４は、無変調検出信号を区間ＴＡ１においてデアサートし、区間ＴＡ２においてアサートする。
【００２７】
本実施形態の光モジュール１は、後述するように、光断検出信号が光断状態を示さないときにおける、無変調検出信号における無変調状態の出現を、再起動信号の出力の条件としている。即ち、図５に示す光信号において、区間ＴＤ１に該当し、且つ区間ＴＡ２に該当する状態の出現が再起動信号の出力の条件となる。これにより、光回線の不良や、光回線に対する物理的な操作等により誤って再起動信号が出力されることが防止される。
【００２８】
再起動信号生成部５は、ＤＣ  ＬＯＳ検出部３から出力された光断検出信号が光断状態を示さないときにおいて、ＡＣ  ＬＯＳ検出部４から出力された無変調検出信号における無変調状態が予め設定された所定のパターンで出現したときに、被制御装置を再起動させるための再起動信号を出力する部分である。
【００２９】
図６は、再起動信号生成部５の構成の例を示す図である。図６に示すように、再起動信号生成部５は、インバータ５１、ＡＮＤゲート５２及びパターン検出部５３を含む。インバータ５１は、ＤＣ  ＬＯＳ検出部３からの光断検出信号を反転させた反転光断検出信号をＡＮＤゲート５２に出力する。ＡＮＤゲート５２は、インバータ５１からの反転光断検出信号と、ＡＣ  ＬＯＳ検出部４からの無変調検出信号との論理積を示す信号ＳＯＰを出力する。即ち、信号ＳＯＰは、光断検出信号がデアサートされていると共に、無変調検出信号がアサートされているときにアサートされる。
【００３０】
パターン検出部５３は、信号ＳＯＰのアサート状態が所定のパターンで出現したときに再起動信号を出力する。所定のパターンは、パターン検出部５３に予め設定されている。パターン検出部５３は、例えば、１秒間のアサート状態が１秒間の間隔を空けて２回出現したとき、を所定のパターンとして設定することができる。
【００３１】
図７は、ＰＤ／ＴＩＡ２により受信された光信号に応じた、ＡＣ  ＬＯＳ検出部４からの無変調検出信号、ＤＣ  ＬＯＳ検出部３からの光断検出信号、信号ＳＯＰ、及び再起動信号の出力を示す図である。
【００３２】
図７に示される区間ＴＥでは、光回線の不良等の何らかの原因により光回線の光信号に、光信号の送信側において想定しない変動が発生している。そして、光信号の区間ＴＥにおいて、符号ＳＥに示されるように、光断状態且つ無変調状態が出現している。従って、この光断状態に応じて、ＤＣ  ＬＯＳ検出部３からの光断検出信号がアサートされると共に、無変調状態に応じて、ＡＬ  ＬＯＳ検出部４からの無変調検出信号がアサートされる。符号ＳＥに示される時間において、無変調検出信号がアサートされているが、光断検出信号がアサートされているので、信号ＳＯＰは、アサートされない。従って、再起動信号もアサートされない。従来の光モジュールでは、光断検出信号のアサートに基づき再起動信号を出力していたので、このような、区間ＴＥにおける符号ＳＥに示されるような光信号の変動が発生した場合に、誤って再起動信号を出力してしまう。
【００３３】
一方、区間ＴＲでは、光信号の送信側の装置から意図的に被制御装置を再起動させるための信号が出力されている。この場合には、符号ＳＲに示されるように、無変調状態が出現しているが、光信号の送信側からの出力レベルは一定以上に維持されており、光断状態は発生していない。従って、無変調状態に応じて、ＡＬ  ＬＯＳ検出部４からの無変調検出信号がアサートされる。一方、光断状態ではないので、ＤＣ  ＬＯＳ検出部３からの光断検出信号はアサートされない。そして、符号ＳＲに示される時間において、無変調検出信号がアサートされていると共に、光断検出信号がデアサートされているので、信号ＳＯＰは、アサートされる。さらに、信号ＳＯＰが所定のパターンでアサートされているので、再起動信号がアサートされる。
【００３４】
なお、パターン検出部５３における再起動信号の出力の条件となる所定のパターンは、プログラマブルであることができる。図７に示す例では、信号ＳＯＰに１秒間のアサート状態が１秒間の間隔を空けて２回出現したときを所定のパターンとしているが、例えば、０．５秒間のアサート状態が０．５秒の間隔を空けて４回出現したとき、を所定のパターンとしてもよいし、その他、信号ＳＯＰのいかなるアサートの出現パターンを所定のパターンとしてもよい。パターン検出部５３に対する所定のパターンのプログラムは、例えば、監視制御部７を介した所定の監視制御信号を送信することにより実施できる。
【００３５】
また、パターン検出部５３は、信号ＳＯＰに関するアサート状態の出現パターンを予め複数有しており、複数のパターンの中から選択された一のパターンを再起動信号の出力の条件となる所定のパターンとして設定することとしてもよい。この場合における所定のパターンの選択は、例えば、監視制御部７を介した所定の監視制御信号を送信することにより実施できる。このような構成を採ることにより、例えば、一の制御装置からの光信号が、本実施形態の光モジュール１を備えた複数の被制御装置に供給されるようなシステムにおいて、被制御装置ごとに異なるパターンを再起動信号の出力のための所定のパターンとして設定できる。従って、被制御装置ごとの再起動の制御が可能となる。
【００３６】
ＬＤ／ＬＤＤ６は、光信号を送信するためのレーザダイオード（ＬＤ：Ｌａｓｅｒ  Ｄｉｏｄｅ）及びレーザダイオードドライバ（ＬＤＤ：Ｌａｓｅｒ  Ｄｉｏｄｅ  Ｄｒｉｖｅｒ）を含む。レーザダイオードは、光信号を出力する素子であって、レーザダイオードドライバにより駆動される。レーザダイオードドライバは、送信データに応じてレーザダイオードを駆動する素子である。
【００３７】
監視制御部７は、光モジュール１における各機能部の監視及び制御を実施する。
【００３８】
また、図４に示す再起動信号生成部を、光モジュール１から独立した再起動信号装置として構成することができる。この再起動信号生成装置は、被制御装置の再起動を制御する再起動信号生成装置であって、光モジュールの受光素子により検出された光信号における出力レベルが所定の閾値未満のときに光断状態を示す光断検出信号、及び受光素子により検出された光信号における変調の振幅が所定の閾値未満のときに無変調状態を示す無変調検出信号を取得し、光断検出信号がデアサートされているときにおいて、無変調検出信号におけるアサートの状態が予め設定された所定のパターンで出現したときに、被制御装置を再起動させるための再起動信号を出力する。このような再起動信号生成装置は、光断検出信号及び無変調検出信号を出力可能な光モジュールに接続されることにより、本実施形態の光モジュール１と同様の作用及び効果を奏する。
【００３９】
以上説明した本実施形態の光モジュール３及び再起動信号生成装置によれば、光断状態でないことを再起動信号の出力の条件としているので、光回線の不良や、光回線に対する物理的な操作等により誤って再起動信号が出力されることが防止される。また、無変調状態が予め設定されたパターンで出現したことを再起動信号の出力の条件としているので、偶然発生した変調の状態の変化により誤って再起動信号が出力されることが防止される。従って、被制御装置の再起動を適切に制御できる。
【００４０】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【００４１】
１…光モジュール、３…検出部、３…光モジュール、３…ＤＣ  ＬＯＳ検出部、４…ＡＣ  ＬＯＳ検出部、５…再起動信号生成部、７…監視制御部、５１…インバータ、５２…ＡＮＤゲート、５３…パターン検出部。
【図１】
2013009186.tif 000003
【図２】
2013009186.tif 000004
【図３】
2013009186.tif 000005
【図４】
2013009186.tif 000006
【図５】
2013009186.tif 000007
【図６】
2013009186.tif 000008
【図７】
2013009186.tif 000009